(57)【要約】【課題】脇下の汗取り効果を有し、目的に応じて様々な内容物を収納可能なパッド部を有するインナーウェアの提供。【解決手段】前身頃と後身頃と袖部とを有し、さらに着用者の脇下部分には前記前身頃と前記後身頃と前記袖部の一部を切り欠いて脇下部が形成され、該脇下部の裏側には袖口で開口して袖下から脇下にかけてポケット状に縫着されたパッド部を設けたインナーウェア。【選択図】  図１
0003173525.tif 000002
【実用新案登録請求の範囲】
【請求項１】
前身頃と後身頃と袖部とを有し、さらに着用者の脇下部分には前記前身頃と前記後身頃と前記袖部の一部を切り欠いて脇下部が縫着され、該脇下部の裏側には袖口で開口して袖下から脇下にかけてポケット状に縫着されたパッド部を設けたインナーウェア。
【請求項２】
前記前身頃および後身頃の両側上部であって着用者の脇下にあたる部分は一部が切り欠かれ、胸部および背中の中央側に膨出する接合ラインを形成し、前記袖部は脇下部分の一部が切り欠かれ、袖口より前記前身頃および後身頃の接合ラインへと連続する接合ラインを形成し、前記脇下部は、端部が袖口の一部を構成するとともに、前記各接合ラインにおいて、前身頃、後身頃、および袖部に縫着されていることを特徴とする請求項１に記載のインナーウェア。
【請求項３】
前記脇下部の裏側において、前記パッド部が袖口に沿う辺部を縫着せず、その他の辺部を前身頃、後身頃、袖部に縫着することにより、前記袖口において開口するポケット状に縫着されていることを特徴とする請求項１または請求項２のいずれかに記載のインナーウェア。
【請求項４】
少なくとも前記脇下部および前記パッド部が吸汗速乾素材により形成されていることを特徴とする請求項１ないし３のいずれか１項に記載のインナーウェア。
【考案の詳細な説明】
【技術分野】
【０００１】
本考案は、脇下の汗取り効果を有し、多目的に使用できる収納部を有する下着に関するものである。
【背景技術】
【０００２】
従来、下着として着用されるインナー類において、脇下部分の汗を吸収して着用感の向上を図ったものが知られており、例えば、特許文献１では、下着本体の脇下部に対応する部分に汗を吸収しやすい汗取り部材を縫い付けたものが開示されている。また、特許文献２では、脇下の吸収できる汗取りパッドを脇下に設けた衣類が開示されている。
【０００３】
しかしながら、特許文献１および２のように、脇下の吸汗を目的としたインナーウェアはあったものの、それ以外の用途に応用できるものではなかった。また、特許文献１のもののように、脇下部に他とは異なる素材の汗取り部材を設けたものは、デザイン性を損なうおそれがあった。
【先行技術文献】
【特許文献】
【０００４】
【特許文献１】特開２０００−３１４００５
【特許文献２】特開２００９−１１４５８２
【考案の概要】
【考案が解決しようとする課題】
【０００５】
そこで本考案は、脇下の汗取り効果を有し、目的に応じて様々な内容物を収納可能なパッド部を有するインナーウェアを提供することをその課題とするものである。
【課題を解決するための手段】
【０００６】
本考案は、上記課題を解決するものであり、前身頃と後身頃と袖部とを有し、さらに着用者の脇下部分には前記前身頃と前記後身頃と前記袖部の一部を切り欠いて脇下部が縫着され、該脇下部の裏側には袖口で開口して袖下から脇下にかけてポケット状に縫着されたパッド部を設けたインナーウェアである。
【考案の効果】
【０００７】
本考案のインナーウェアは、脇下に設けられた脇下部とかかる脇下部の裏側にポケット状に形成されたパッド部により、脇下の吸汗を効果的に行うことができる。
【０００８】
さらに、本考案のインナーウェアは、用途に応じてパッド部に保冷部材、保温部材、防臭部材等を収納することができ、多目的に使用することが可能である。
【図面の簡単な説明】
【０００９】
【図１】本考案に係るインナーウェアの正面図。
【図２】本考案に係るインナーウェアの背面図。
【図３】本考案に係るインナーウェアの脇下部分の裏側を表した図。
【考案を実施するための形態】
【００１０】
以下、本考案のインナーウェアの一実施態様を、図面に基づいて具体的に説明する。なお、本考案はこれら実施態様に何ら制約されるものではない。
【００１１】
図１は本考案に係るインナーウェアの正面図、図２は同背面図、図３は本考案に係るインナーウェアの脇下部分の裏側を表す図である。図中、１は前身頃、２は後身頃、３は袖部、４は脇下部、５はパッド部、６は衿ぐり、７は袖口、１１は接合ライン、２１は接合ライン、３１は接合ライン、３２はラグランライン、５１は開口部をそれぞれ示す。
【００１２】
図１に示すように、本考案にかかるインナーウェアは、前身頃１と後身頃２と袖部３からなるフレンチシャツタイプに形成され、着用者の脇下部分は、前身頃１と後身頃２と袖部３の一部が切り欠かれ、袖口から脇下にかけて脇下部４が縫着されている。本実施態様において、袖部３はいわゆるラグラン袖タイプで形成されているが、袖の態様はこれに限定されず、セットインタイプのものなどを適宜採用することができる。
【００１３】
以下、本考案のインナーウェアの構成について詳述する。本考案にかかるインナーウェアは前身頃１、後身頃２によって身頃が形成されているが、前身頃１、後身頃２の両側上部であって着用者の脇下にあたる部分は一部が切り欠かれ、胸部および背中の両脇から中央側へと膨出する接合ライン１１、２１を形成している。また、袖部３は、その端部が衿ぐり６に連続しており、脇下部分の一部が切り欠かれ、袖口７から前身頃の接合ライン１１および後身頃２の接合ライン２１と連続する接合ライン３１を形成している。
【００１４】
本考案のインナーウェアの脇下部分で、前身頃１と後身頃２と袖部３の一部が切り欠かれた部分には、脇下部４が設けられている。脇下部４は、その端部が袖口７の一部を構成するとともに、接合ライン１１、２１、３１において、それぞれ前身頃１、後身頃２、袖部３に縫着されている。
【００１５】
図３は、脇下部４が設けられた脇下部の裏側を表す図である。図に示すように、脇下部４の裏側にはパッド部５が縫着されている。かかるパッド部５は脇下部４とほぼ同一の大きさ・形状に形成され、脇下部４と同位置に縫着されているが、袖口７に沿う辺部が袖口７よりややセットバックして設けられている。この袖口７に沿う辺部は脇下部４に縫着されておらず、パッド部５のその他の辺部は接合ライン１１、２１、３１においてそれぞれ前身頃１、後身頃２、袖部３に縫着されているため、これにより、パッド部５は開口部５１において開口して袖下から脇下にかけてポケット状に形成される。パッド部５がこのようにポケット状に縫着されているため、保冷部材等の内容物を開口部５１から出し入れすることができ、パッド部５と脇下部４によるポケット状の空間に内容物を収納することができる。
【００１６】
本インナーウェアの素材について、少なくとも脇下部４およびパッド部５は優れた吸汗速乾性能を有する吸汗速乾素材により形成することが好ましい。また、前身頃１、後身頃２、袖部３についても同様に吸汗速乾素材にて形成しても良い。このように、少なくとも脇下部４およびパッド部５を吸汗速乾素材により形成することで、脇下で２枚重ねに設けられた吸汗速乾素材が効率よく汗を吸収する。ここで、吸汗速乾素材としては公知のものを使用することができ、例えば、綿６５％、ポリエステル３５％の混紡で、フライス編みのものを使用することができる。
【００１７】
また、本考案のインナーウェアのパッド部５はポケット状に縫着されているため、用途に応じて様々な内容物を収納することができる。例えば、夏場は保冷部材を収納しておけば効果的に発汗を抑えることができ、吸汗速乾素材により形成されたパッド部５と相俟って、着用感の向上を図ることができる。また、冬場には、携帯用カイロなどの保温部材を収納することで保温効果が向上し、季節を問わず防臭部材等を収納してもよい。
【００１８】
さらに、本考案のインナーウェアは、前身頃の接合ライン１１および後身頃２の接合ライン２１により、全体がよりすっきりとしたアウターのような外観的印象を与えることができる。なお、本考案のインナーウェアは、インナー（下着）としての用途に限定されるものではなく、夏場や運動時などにはアウターとして着用してもよい。
【符号の説明】
【００１９】
１……前身頃
２……後身頃
３……袖部
４……脇下部
５……パッド部
６……衿ぐり
７……袖口
１１……接合ライン
２１……接合ライン
３１……接合ライン
３２……ラグランライン
５１……開口部
【図１】
0003173525.tif 000003
【図２】
0003173525.tif 000004
【図３】
0003173525.tif 000005